(57)【要約】【課題】アクセサリーの紐輪の大きさを簡便かつ確実に調節できる安価な止め具を提供する。【解決手段】紐輪の両端部4a、4bを一対となるスライド体3a、3bに設けられた二つの独立する貫通穴1a、2a、1b、2bに通して抜けないようにすることによって一対のスライド体を紐輪の両端部につなげ、一対のスライド体の間隔を変えることにより紐輪の大きさを調節する。一対のスライド体3a、3bとアクセサリー本体５との間の紐輪の両端部に一つの貫通穴11a、11bをもつ一対のストッパー12a、12bを取り付け、紐輪を閉じる際は一対のスライド体の移動を一対のストッパーで止めて紐輪の大きさを一定にし、その紐輪の大きさを一対のスライド体と一対のストッパーとの間に連結力が生じるようにして一定に保持する。紐輪を開ける際は一対のストッパー12a、12bを引くことにより一対のスライド体3a、3bの間隔を縮める。【選択図】  図４
2010220708.tif 000002
【特許請求の範囲】
【請求項１】
二つの独立する貫通穴をもつスライド体一対を左右に配置し、紐輪の両端部をそれぞれ左右から一対のスライド体の貫通穴にそれぞれ一本ずつ通した後、紐輪の両先端部の直径を該貫通穴の直径より大きくすることにより紐輪の両端部が一対のスライド体の貫通穴から抜けないようにしたことを特徴とするアクセサリー用の紐止め具。
【請求項２】
一つの貫通穴をもつストッパー一対を一対のスライド体とアクセサリー本体との間の紐輪の両端部に取り付け、該ストッパーは紐輪の先端から一定寸法離れた位置以上には移動しないものとし、紐輪を閉じる際は一対のスライド体の移動を一対のストッパーで止めて紐輪の大きさを一定にし、一方、紐輪を開ける際は一対のストッパーを引くことにより一対のスライド体の間隔を縮めるようにしたことを特徴とする請求項１記載のアクセサリー用の紐止め具。
【請求項３】
一対のスライド体が一対のストッパーとそれぞれ対応する端面同士で接触した際に、該端面間に脱着可能な連結が生じるようにして、一対のスライド体が紐輪を開ける方向に移動するのを一対のストッパーにより防止することで紐輪の大きさを一定に保持することを特徴とする請求項２記載のアクセサリー用の紐止め具。
【請求項４】
長さの長い円筒状の弾性体を、一対となる半割状の外殻体に形成された断面半円状の貫通溝に収納した状態で接着剤により一体成形し、これを短く切断して得られるスライド体およびストッパーを用いることを特徴とする請求項１ないし３のいずれかに記載のアクセサリー用の紐止め具。
【発明の詳細な説明】
【技術分野】
【０００１】
本発明は、アクセサリーの紐輪の長さを調節する止め具の構造に関するものである。
【背景技術】
【０００２】
係止部を移動させてアクセサリーの紐輪の長さを調節する方法としては、一つの係止部に紐輪の両端を通すものと二つの係止部に紐輪の一端をそれぞれ通すものがある。
前者には特許文献１に開示されるように、箱の中に二個の弾性体からなる管を箱側面に設けた二個の穴に一致するように収納した係止具が知られている。
後者には特許文献２に開示されるように、両端部となる二本の革紐を重ね合わせ、一本の革紐の端をもう一本の革紐にそれぞれ結び付けて二つの結び目を形成し、この結び目を移動させるブレスレットが知られている。
【０００３】
二つの結び目を、一つの貫通穴が設けられた係止具に替えたものとして、パイプ状の長さ調節具を用いる特許文献３が、弾性体を収納したストッパー体を用いる特許文献４が、切欠き部をもつ貫通穴が設けられた挟み込み部材を用いる特許文献５が、さらに、長さ調整部としてビニールパイプなどを用いる特許文献６がそれぞれ知られている。一方、二つの結び目を、二つの貫通穴が設けられた係止具に替えたものとして、大小二つの貫通穴の間をスリットでつなげた止具を用いる特許文献７が知られている。
【先行技術文献】
【特許文献】
【０００４】
【特許文献１】実用新案登録第３１０７８２６号公報
【特許文献２】実用新案登録第３１３１２０４号公報
【特許文献３】特開２００３‐  ５２４２６号公報
【特許文献４】実用新案登録第３０６６６５６号公報
【特許文献５】特開２００５‐３４２０２７号公報
【特許文献６】実用新案登録第３１０８２８７号公報
【特許文献７】平成６年実用新案出願公告第３０００７号公報
【発明の概要】
【発明が解決しようとする課題】
【０００５】
一つの係止部に紐輪の両端を通す方法では、アクセサリー本体の先に二本の紐が垂れ下がり、アクセサリー本体と紐輪のみでアクセサリーを構成することができないので、美的要素に欠けるほか、垂れ下がる紐が邪魔となる問題点がある。
二つの係止部に紐輪の一端をそれぞれ通す方法の内、結び目を設けるものでは、使用中に結び目がほどける可能性があり、また、紐輪を閉じるため結び目をつまんで移動させる際、結び目がつまみにくい。この結び目を一つの貫通穴が設けられた係止具に替えたものの内、係止具に紐輪の一端を取り付け両者間に引張力が働くようにする機構を設けるものでは、複雑な構造となるため高価な係止具となり、二本の紐を貫通穴に通すものでは係止に必要な摩擦力が期待できない。結び目をスリットでつながる二つの貫通穴が設けられた係止具に替えたものでは、摩擦力が一方の係止具にしか生じないため、係止機能に不安があるほか、紐輪が使用時にスリットを通してずれる恐れがある。
【０００６】
二つの係止部に紐輪の一端をそれぞれ通す方法では、二つの係止部を移動させるだけなので紐輪の大きさを一定することが難しい。さらに、紐輪を開ける際は紐輪をつまんで引くため、紐輪が細い場合は指を痛める恐れがある。
本発明は、上記の課題を解決するため係止具を単純な構造にして、紐輪の大きさを簡便に、安全かつ確実に調節することができる軽量で安価なアクセサリー用の紐止め具を提供することを目的とするものである。
【課題を解決するための手段】
【０００７】
上記目的を達成するため本発明は、図１に示すように、二つの独立する貫通穴１a、２a、１b、２bをもつ一対のスライド体３a、３bを左右に配置し、アクセサリー本体５を取り付けた紐輪の両端部４a、４bをそれぞれ左右から一対のスライド体３a、３bの貫通穴１a、２a、１b、２bにそれぞれ一本ずつ通した後、結び目４a’、４b’を形成することによって紐輪の両端部４a、４bの先端部の直径を貫通穴２b、１aの直径より大きくして該貫通穴２b、１aから抜けないようにして、一対のスライド体３a、３bを紐輪の両端部４a、４bにつなげる。これにより一対のスライド体３a、３bをその間隔が広がるように左右に引いた場合には、該スライド体３a、３bから結び目４b’、４a’にかかる圧縮力を通じて紐輪の両端部４b、４aに引張力がかかることで紐輪は閉じる。一方、一対のスライド体３a、３bの外側にある紐輪の両端部４a、４bを左右に引いた場合には、結び目４a’、４b’から一対のスライド体３b、３aに圧縮力がかかることで紐輪は開く。調節された紐輪の大きさは一対のスライド体３a、３bの貫通穴２a、１b内面と紐輪の両端部４a、４bとの二箇所に働く摩擦により保持されることになる。
【０００８】
図４に示すように、一つの貫通穴11a、11bをもつ一対のストッパー12a、12bを、一対のスライド体３a、３bとアクセサリー本体５との間の紐輪の両端部４a、４bに取り付けることができる。このストッパーは紐輪の先端から一定寸法離れた位置以上には移動しないものとする。例えば、結び目4a”,4b”のような一対のストッパー12a、12bを係止する手段を設ければ、紐輪を閉じるために左右に引かれた一対のスライド体３a、３bの移動をそれぞれ対応する一対のストッパー12a、12bで止めて紐輪の大きさを一定にすることができる。一方、紐輪を開ける際は一対のストッパー12a、12bを左右に引くことにより該スライド体３a、３bの間隔を縮めればよい。
【０００９】
図６に示すように、一対のスライド体３a、３bを左右に引いて紐輪を閉じる方向に移動させ、紐輪の両端部４a、４bに固定されている一対のストッパー12a、12bとそれぞれ対応する端面13、14同士で接触した際に、該端面13、14間に脱着可能な連結が生じるようにする。これにより、一対のスライド体３a、３bの貫通穴２a、１b内面と紐輪の両端部４a、４bとの間に摩擦力が働かない場合でも、該スライド体３a、３bがアクセサリー本体５の重さによって紐輪が開く方向に移動するのをそれぞれ対応する一対のストッパー12a、12bが防止するので紐の輪の大きさを一定に保持することができる。紐輪を開ける場合は、一対のスライド体３a、３bと一対のストッパー12a、12bの端面13、14間に働いている連結力を越える力で該ストッパー12a、12bを左右に引けばよい。
【００１０】
紐輪の大きさの保持を長期の使用にわたって確実にするには、一対のスライド体３a、３bの貫通穴２a、１b内面と紐輪の両端部４a、４bとの間に働く摩擦力が、該貫通穴２a、１b内面と紐輪の両端部４a、４bの摩耗量が大きくなった段階でも十分に働く必要がある。スライド体３a、３bの貫通穴２a、１b内面の材質を弾性体にすれば、該貫通穴２a、１b内面と紐輪の両端部４a、４bの摩耗量が大きくなった段階でも十分な摩擦力が貫通穴２a、１b内面と紐輪の両端部４a、４bとの間に働くことが期待できる。
【００１１】
一方、スライド体３a、３bは、貫通穴２a、１b内面が限界摩耗量に達した時点で取り替えなければならない消耗品であるので安価である必要がある。図８に示すように、長さの長い円筒状の弾性体６二本を、長さ方向に半割状となった一対の外殻体７a、７bに設けられた二つの断面半円状の貫通溝８a、９a、８b、９bに収納し接着剤により一体成形する。この一体成形体10を短く切断すれば安価で耐久性のあるスライド体が得られることになる。なお、この時、一対の外殻体７a、７bに設ける貫通溝の数を一つにすればストッパーが得られることになる。
【発明の効果】
【００１２】
請求項１記載の発明によれば、一対のスライド体３a、３bに二つの独立する貫通穴１a、２a、１b、２bを設けて該スライド体３a、３bに紐輪の両端部４a、４bを取り付け、一対のスライド体３a、３bの貫通穴２a、１b内面と紐輪の両端部４a、４bとの間に摩擦力を生じさせることができる。したがって、一対のスライド体３a、３bの端面に紐輪の両端部４a、４bを取り付け両者間に引張力が働くようにする機構が不要であるため、該スライド体３a、３bの構造は単純であり、その分、軽量で安価な係止具となるほか、一対のスライド体３a、３bで紐輪の両端部４a、４bを係止するので係止力および耐久性のある係止具となる。
【００１３】
請求項２記載の発明によれば、紐輪を閉じる際は一対のスライド体３a、３bの移動を一対のストッパー12a、12bで止めるので紐輪の大きさを一定にすることができる。紐輪を開ける際は一対のストッパー12a、12bを指でつまんで左右に引くので、紐輪の両端部４a、４bをつまむ場合に比べてつまみやすく、指を痛めることはない。
【００１４】
請求項３記載の発明によれば、一対のスライド体３a、３bの端面13と紐輪の両端部４a、４bに固定された一対のストッパー12a、12bの端面14の間に連結力が生じるので、一対のスライド体３a、３bの貫通穴２a、１b内面と紐輪の両端部４a、４bとの間に摩擦力が働かない場合でも、アクセサリー本体５の重さによって紐輪が開くのを一対のストッパー12a、12bが防止する。
【００１５】
請求項４記載の発明によれば、長さの長い円筒状の弾性体６とそれを収納する外殻体７a、７bとを接着剤により一体化した一体成形体10を短く切断するので安価なスライド体およびストッパーが得られる。スライド体の貫通穴内面は弾性体６であるので、弾性体６と紐輪の両端部４a、４bの摩耗量が大きくなった段階でも十分な摩擦力が弾性体６と紐輪の両端部４a、４bとの間に働くことが期待でき、紐輪の大きさの保持を長期にわたって確実にすることができる。また、ストッパーは弾性体６と紐輪の両端部４a、４bの間に働く摩擦力で移動することがない。
以上述べたように、本発明によれば、紐輪の大きさを調節することが容易かつ確実で美観に優れたアクセサリー用の紐止め具を安価に提供することができる。
【図面の簡単な説明】
【００１６】
【図１】一対のスライド体を紐輪に取り付けた状態を示す平面図、
【図２】紐輪開閉時の様子を示す平面図、
【図３】紐輪開閉後の一対のスライド体の位置を示す平面図、
【図４】一対のストッパーを紐輪に取り付けた状態を示す平面図、
【図５】紐輪の大きさが一定となる一対のスライド体の位置を示す平面図、
【図６】右側のスライド体とストッパーとの連結状態を示す平面図、
【図７】スライド体とストッパーの連結側の側面図。
【図８】一体成形体の斜視図。
【発明を実施するための形態】
【００１７】
以下、本発明の実施形態を添付の図面により説明する。
図１に示す一対のスライド体３a、３bの材質は指でつまんだ際に変形しない木材、竹材、プラスチック、金属など硬い物質であり、その形状は断面が楕円あるいは矩形の柱体などで、その断面には二つの独立する貫通穴１a、２a、１b、２bが設けられている。紐輪の一端部４aは左側のスライド体３aに設けられた貫通穴２aを貫き、さらに右側のスライド体３bに設けられた貫通穴２bを貫き、該貫通穴２bの出口で結び目４a’を形成しており、貫通穴２b、２aから抜け出ないようになっている。同様に、紐輪のもう一端部４bは右側のスライド体３bに設けられた貫通穴１bを貫き、さらに左側のスライド体３aに設けられた貫通穴１aを貫き、該貫通穴１aの出口で結び目４b’を形成しており、貫通穴１a、１bから抜け出ないようになっている。なお、貫通穴２b、１aの出口で形成する結び目４a’、４b’に替えて、リングを紐輪の両先端部に挟み込むなど、紐輪の両先端部の直径が貫通穴２b、１aの直径より大きくなり、紐輪の両端部４a、４bが該貫通穴２b、１aから抜けない処理を施してもよい。
【００１８】
結び目４a’、４b’は、接着剤を塗布することによってほどけないようにしてもよいし、あるいは結び目４a’、４b’がそれぞれ接触するスライド体３b、３aの貫通穴２b、１aの出口に接着剤で固定してもよい。さらに、図６に示すように、スライド体３a、３bに穴17を設けて埋め込むようにしてもよい。
【００１９】
図２(Ａ)に示すように、左右のスライド体３a、３bを両手の指でつまみ両者の間隔が広がるように左右に引くことにより、左側のスライド体３aに設けられた貫通穴１aを貫く紐輪の一端部４bは、該スライド体３aから結び目４b’にかかる圧縮力を通じて引っ張られることによって右側のスライド体３bに設けられた貫通穴１bを左側に抜け出ることができる。同様に、右側のスライド体３bに設けられた貫通穴２bを貫く紐輪の一端部４aは、該スライド体３bから結び目４a’ にかかる圧縮力を通じて引っ張られることによって左側のスライド体３aに設けられた貫通穴２aを右側に抜け出ることができる。この結果、図３(Ａ)に示すように、一対のスライド体３a、３bの間隔が広がり、同時にこの広がった間隔分、該スライド体３a、３b間にある紐輪の両端部４a、４bの長さも長くなる。したがって、この長さが長くなった分だけ、紐輪は閉じることになる。
【００２０】
この閉じた紐輪の大きさは、左側のスライド体３aに設けられた貫通穴２aの内側と該貫通穴２aを貫く紐輪の一端部４a間および右側のスライド体３bに設けられた貫通穴１bの内側と該貫通穴１bを貫く紐輪の一端部４b間に十分な摩擦力が生じるように紐輪の両端部４a、４bの直径に合わせて貫通穴２a、１bの直径を調節すれば、アクセサリー本体５の重さによって紐輪が開くことなく一定に保持することができる。
【００２１】
紐輪を開ける際は、図２(Ｂ)に示すように、左側のスライド体３aの左外側にある紐輪の一端部４aと右側のスライド体３bの右外側にある紐輪の一端部４bを両手の指でつまみ左右に引っ張る。左側の紐輪の一端部４aにかかる引張力が右側スライド体３bの貫通穴２bの出口にある結び目４a’を通して該スライド体３bにかかる圧縮力となって働くことによって、スライド体３bは紐輪の一端部４b上を左側に移動する。同様に、右側の紐輪の一端部４bにかかる引張力が左側スライド体３aの貫通穴１aの出口にある結び目４b’を通して該スライド体３aにかかる圧縮力となって働くことによって、スライド体３aは紐輪の一端部４a上を右側に移動する。この結果、図３(Ｂ)に示すように、一対のスライド体３a、３bの間隔が縮まり、同時に縮まった間隔分、該スライド体３a、３b間にある紐輪の両端部４a、４bの長さも短くなる。したがって、この長さが短くなった分だけ、紐輪は開くことになる。
なお、アクセサリー本体５を吊す紐輪部分は図１に示すような一本の紐ではなく、アクセサリー本体５を吊す部分で二本に切断し、その切断した両端に、小さな輪を形成するかあるいは輪金具を取り付けることで各々の両端をアクセサリー本体５に取り付けられるようにしてもよい。
【００２２】
図２(Ａ)に示すように、紐輪を開ける際は一対のスライド体３a、３bを両手の指でつまんで左右に引っ張るため、該スライド体３a、３b間にある紐輪の両端部４a、４bは平行な二本の直線となり、その延長線上に一対のスライド体３a、３bの貫通穴２a、１bが位置する。したがって、紐輪の両端部４a、４bと該貫通穴２a、１b内面の間のみに摩擦力が生じることになる。
【００２３】
一方、図２(Ｂ)に示すように、紐輪を閉じる際は一対のスライド体３a、３bのそれぞれ左右外側にある紐輪の両端部４a、４bを両手の指でつまみ左右に引っ張るため、該スライド体３a、３b間にある紐輪の両端部４a、４bは平行な二本の直線となる。同時に、この二本の直線の中間にあり、かつ、平行する形の一本の直線の延長線上に、スライド体３a、３bのそれぞれ左右外側にある紐輪の両端部４a、４bは位置する。この結果、これらの平行な三本の直線は、一対のスライド体３a、３bの貫通穴２a、１bに対してある角度θをもつことになる。
【００２４】
一対のスライド体３a、３bのそれぞれ左右外側にある紐輪の両端部４a、４bを引っ張る力をＦとすれば、Ｆは貫通穴２a、１b方向の分力Ｆcosθと該貫通穴２a、１bに対して垂直方向の分力Ｆsinθに分かれる。分力Ｆsinθは該貫通穴２a、１bそれぞれの両出口部に垂直にかかる圧縮力となるため、これらの両出口部と紐輪の両端部４a、４bの間に摩擦力が生じる。したがって、紐輪の両端部４a、４bと一対のスライド体３a、３bの貫通穴２a、１bの間に生じる摩擦力は、図２(Ａ) に示す紐輪を閉じる場合と同様に、紐輪の両端部４a、４bと貫通穴２a、１b内面との間に生じるものＦ’に、両出口部にかかる圧縮力Ｆsinθによって生じるものを加算したものとなる。したがって、ＦはＦ’より大きな値となり、紐輪を閉じる場合に必要な引張力よりも紐輪を開く場合に必要な引張力の方が大きい。このことは、使用時にアクセサリー本体５の重さよって紐輪は容易には開かないことになり都合がよい。反面、紐輪の両端部４a、４bは大きな摩擦力により摩耗することになる。これを防止するには、貫通穴２a、１bそれぞれの両出口部に摩擦係数を減じるように丸み付けなどの角取り加工を施せばよい。
【００２５】
図２(Ａ)および図３(Ａ) に示すように、紐輪を閉じる際には一対のスライド体３a、３bをつまんで引っ張り、該スライド体３a、３bの任意の移動量によって紐輪の大きさが決定されてしまうため、紐輪の大きさを一定にするのが困難である。一方、図２(Ｂ) に示すように、紐輪を広げる際には紐輪の両端部４a、４bをつまんで引っ張るので、該紐輪の両端部４a、４bが細い場合はつまみにくく、また、指を痛める危険もある。これらの問題点を解決するため、図４に示すように、一対のスライド体３a、３bとアクセサリー本体５との間にある紐輪の両端部４a、４bの所定の位置に一つの貫通穴11a、11bを設けたストッパー12a、12bを左右一対として設置する。
【００２６】
ストッパー12a、12bを設置するには、ストッパーの移動範囲を決定する係止手段の一例として、紐輪の両端部４a、４bの所定の位置に結び目４a’’、４b’’を形成し、紐輪の両端部４a、４bをそれぞれ対応するストッパー12a、12bに設けられた貫通穴11a、11bに通してから一対のスライド体３a、３bにつなげるようにする。一対のストッパー12a、12bのアクセサリー本体５方向への動きはそれぞれ対応する結び目４a’’、４b’’で止められ、反対方向となる一対のスライド体３a、３b方向への動きは、該ストッパー12a、12bに設けられた貫通穴11a、11bの内側と紐輪の両端部４a、４bとの間に十分な摩擦力が生じるようにすれば止められる。
【００２７】
一対のストッパー12a、12bにそれぞれ対応する結び目４a’’、４b’’は接着剤を塗布することによってほどけないようにしてもよいし、あるいは該ストッパー12a、12bの貫通穴11a、11bの出口に接着剤で固定してもよい。すなわち、ストッパー12a、12bを紐輪の所定位置に固定する。さらに、図６に示すように、ストッパー12a、12bに穴18を設けて埋め込むように固定してもよい。その他固定手段は、接着剤以外の任意方法で固定することができる。
紐輪を閉じる際には、図５に示すように、一対のスライド体３a、３bはそれぞれ対応する一対のストッパー12a、12bにその移動を止められるので紐輪の大きさは一定となる。一方、紐輪を閉じる際には、一対のストッパー12a、12bをつまんで引っ張るので指を痛めることはない。
【００２８】
図６に示すように、一対のストッパー12a、12bにそれぞれ対応する結び目４a’’、４b’’を該ストッパー12a、12bの貫通穴11a、11bの出口に接着剤で固定して、一対のスライド体３a、３bと一対のストッパー12a、12bが接触するそれぞれの端面13、14に連結部15、16を設け、該端面13、14間に脱着可能な連結が生じるようすることもできる。このとき、連結力の大きさをアクセサリー本体５の重さより大きく、かつ、指の力で容易に引き離せる程度に調整しておく。具体的には、図６および図７(Ａ)に示すスライド体の連結部15および図６および図７(Ｂ)に示すストッパーの連結部16は、マグネットあるいは引っ付き力をもつ面ファスナーなど脱着可能な連結力が生じるもので構成する。なお、連結部15、16は、図６に示すように、それぞれ一対のスライド体３a、３bと一対のストッパー12a、12bの内部に埋め込んでもよいし、あるいはそれぞれ端面13、14に貼り付けてもよい。また、一対のストッパー12a、12bの貫通穴11a、11bの出口に結び目４a’’、４b’’を接着剤で固定するのに替えて、該ストッパー12a、12b側面に貫通穴11a、11bに対して直角方向に該貫通穴11a、11bに達するネジ穴を設けて、ネジ締めすることにより該ストッパー12a、12bを紐輪の両端部４a、４bに固定してもよい。
【００２９】
端面13、14に連結力をもたせることにより、一対のスライド体３a、３bの貫通穴２a、１bの内面と紐輪の両端部４a、４bの間に働く摩擦力が摩耗によって低下した場合でも、あるいは、一対のスライド体３a、３bの貫通穴２a、１bの直径が紐輪の両端部４a、４bの直径よりも大きく、該貫通穴２a、１bの内面と紐輪の両端部４a、４bとの間に摩擦力が働かない場合でも、アクセサリー本体５の重さによって一対のスライド体３a、３bが紐輪の開く方向に移動するのを一対のストッパー12a、12bにより防止するので紐の輪の大きさを一定に保持することができる。
【００３０】
紐輪を開ける場合は、一対のスライド体３a、３bと一対のストッパー12a、12bの端面13、14間に働いている連結力を越える力で一対のストッパー12a、12bを指で左右に引き、一対のスライド体３a、３bを紐輪の開く方向に移動させればよい。なお、一対のスライド体３a、３bの貫通穴２a、１bの直径が紐輪の両端部４a、４bの直径よりも大きい場合、該貫通穴２a、１bの内面と紐輪の両端部４a、４bとの間に摩擦力が働かないので、貫通穴２a、１bの内面と紐輪の両端部４a、４bが摩耗することはないので都合がよい。
【００３１】
図１に示す一対のスライド体３a、３bが指でつまんだ際に変形しない硬い物質からなる場合、該スライド体３a、３bの貫通穴２a、１b内面と紐輪の両端部４a、４bとの間に十分な摩擦力が生じるようにするのに、該貫通穴２a、１bの穴あけ加工に高い精度を要求されるだけでなく、貫通穴２a、１b内面と紐輪の両端部４a、４bの摩耗量がまだ小さい段階であっても十分な摩擦力が得られなくなってしまう。そこで、一対のスライド体３a、３bの貫通穴２a、１bの内面部分のみを弾性体にすれば、弾性体の穴の直径より大きい直径をもつ紐輪の両端部４a、４bによって弾性体が押し広げられる変形量は大きいので、その分、貫通穴の穴あけ加工に高い精度が必要でなくなるだけでなく、弾性体と紐輪の両端部４a、４bの摩耗量が大きくなった段階でも十分な摩擦力が残存し、スライド体３a、３bの耐久性が向上する。
【００３２】
貫通穴２a、１b内面部分のみ弾性体のスライド体を安価に製造するには、図８に示すように、紐輪の両端部４a、４bの直径より小さな内径をもつ長さの長い円筒状の弾性体６二本を、長さ方向に半割した木材など硬い物質からなる一対の外殻体７a、７bに設けた二つの断面半円状の貫通溝８a、９a、８b、９bに収納して、外殻体７a、７b同士および外殻体７a、７bと円筒状の弾性体６を接着剤により接着し、得られる一体成形体10を短く切断すればよい。なお、この時、一対の外殻体７a、７bに設ける貫通溝の数を一つにすればストッパーを製造することができる。
【符号の説明】
【００３３】
１a、２a、１b、２b・・・貫通穴、  ３a、３b・・・スライド体、  ４a、４b…端部、  ４a’、４b’、４a’’、４b’’・・・結び目、  ５・・・アクセサリー本体、  ６・・・弾性体、  ７a、７b・・・外殻体、  ８a、９a、８b、９b・・・貫通溝、  10・・・一体成形体、  11a、11b・・・貫通穴、  12a、12b・・・ストッパー、  13、14・・・端面、  15、16・・・連結部、  17、18・・・穴。
【図１】
2010220708.tif 000003
【図２】
2010220708.tif 000004
【図３】
2010220708.tif 000005
【図４】
2010220708.tif 000006
【図５】
2010220708.tif 000007
【図６】
2010220708.tif 000008
【図７】
2010220708.tif 000009
【図８】
2010220708.tif 000010